(57)【特許請求の範囲】
【請求項１】
室内の空気調和を行う空気調和装置（１０）であって、
前記室内の負荷を検出する検出部（１３０，３１０，３２０）と、
ユーザに情報を報知する報知部（１４０）と、
制御部（１５０）と、を備え、
前記制御部（１５０）は、前記検出部（１３０，３１０，３２０）によって検出された前記負荷の変動が、第１時間（Ｐ１）において所定範囲内にあることを示す負荷条件を満たす場合、前記報知部（１４０）に、ユーザに換気が必要であることを報知させる、
空気調和装置。
【請求項２】
前記検出部（１３０，３１０，３２０）は、前記室内の温度を検出する温度センサ（１３０）を含み、
前記負荷条件は、前記第１時間（Ｐ１）の全体において、前記温度センサ（１３０）によって検出された前記室内の温度が基準温度（Ｔ０）によって定まる規定範囲を外れる時間が、前記第１時間（Ｐ１）よりも短い第２時間（Ｐ２）以上継続しないことである、
請求項１に記載の空気調和装置。
【請求項３】
前記報知部（１４０）は、情報を表示する表示部（１６１）を含み、
前記制御部（１５０）は、前記負荷条件を満たす場合、換気が必要であることを前記表示部（１６１）に表示させる、
請求項１又は請求項２に記載の空気調和装置。
【請求項４】
前記室内には、換気機能が設けられていない、
請求項１から請求項３のいずれか１項に記載の空気調和装置。
【発明の詳細な説明】
【技術分野】
【０００１】
本開示は、空気調和装置に関する。
【背景技術】
【０００２】
室内空気質を改善するためには換気が必要である。例えば、特許文献１には、空調すべき領域を複数の人体検知センサにより複数の領域に区分し、全ての領域に人がいないと検知された場合に、室内機に設けられた換気ファンを作動させるようにした空気調和装置が開示されている。
【先行技術文献】
【特許文献】
【０００３】
【特許文献１】特開２００９−１６８４２８号公報
【発明の概要】
【発明が解決しようとする課題】
【０００４】
人が室内で活動することによる室内空気質の低下を抑制するためには、人が室内にいるときに十分な換気が必要である。特に、新型コロナウイルス（COVID-19）の感染拡大防止のため、１時間に２回以上の換気が厚生労働省から提言されている。
【０００５】
しかしながら、特許文献１には、人が室内にいるときにどのように換気を行うかについては何ら開示されていない。
【０００６】
本開示は、人が室内にいるときに十分な換気を促すことを目的とする。
【課題を解決するための手段】
【０００７】
（１）本開示の空気調和装置は、
室内の空気調和を行う空気調和装置であって、
前記室内の負荷を検出する検出部と、
ユーザに情報を報知する報知部と、
制御部と、を備え、
前記制御部は、前記検出部によって検出された前記負荷の変動が、第１時間において所定範囲内にあることを示す負荷条件を満たす場合、前記報知部に、ユーザに換気が必要であることを報知させる。
【０００８】
第１時間内に室内の負荷変動が所定範囲内である場合、室内の換気量が不足している可能性がある。負荷条件を満たした場合にユーザに換気が必要であることを報知することにより、ユーザに換気を促すことができる。
【０００９】
（２）好ましくは、前記検出部は、前記室内の温度を検出する温度センサを含み、
前記負荷条件は、前記第１時間の全体において、前記温度センサによって検出された前記室内の温度が基準温度によって定まる規定範囲を外れる時間が、前記第１時間よりも短い第２時間以上継続しないことである。
このような構成によって、室内の負荷を室温として検出することができる。換気が行われれば空気調和された室温が変化するため、室温の変動によって換気量が十分か否かを判断することができる。第１時間の全体において、室温が基準温度から規定範囲を外れる時間が第２時間以上継続しない場合、室内の換気量が不足している可能性があるため、ユーザに換気が必要であることを報知することで換気量不足を解消することができる。
【００１０】
（３）好ましくは、情報を表示する表示部を含み、
前記制御部は、前記負荷条件を満たす場合、換気が必要であることを前記表示部に表示させる。
このような構成によって、ユーザは表示部の表示を確認することで、換気が必要であることを把握することができる。
【００１１】
（４）前記室内には、換気機能が設けられていなくてもよい。
本開示の構成により、換気機能が設けられていない室内において、窓又はドアを開けることによる換気をユーザに促すことができる。
【図面の簡単な説明】
【００１２】
【図１】第１実施形態に係る空気調和装置の構成の一例を概略的に示す図である。
【図２】制御部の構成の一例を示すブロック図である。
【図３】第１実施形態に係る空気調和装置の動作の手順の一例を示すフローチャートである。
【図４Ａ】換気が十分に行われている場合の室内温度の時間変化の一例を示すグラフである。
【図４Ｂ】換気が十分に行われていない場合の室内温度の時間変化の一例を示すグラフである。
【図５】第２実施形態に係る空気調和装置の基準温度の設定の手順の一例を示すフローチャートである。
【図６】第３実施形態に係る空気調和装置の室内機の構成の一例を概略的に示す図である。
【図７】第３実施形態に係る空気調和装置の動作の手順の一例を示すフローチャートである。
【発明を実施するための形態】
【００１３】
以下、添付図面を参照しつつ、空気調和装置の実施形態を詳細に説明する。
【００１４】
［１．第１実施形態］
［１−１．空気調和装置の構成］
図１は、第１実施形態に係る空気調和装置の構成の一例を概略的に示す図である。
空気調和装置１０は、空調の対象空間である室内の空気の温度を所定の目標温度に調整する。本実施形態に係る空気調和装置１０は、室内の温度を上昇させる暖房運転及び室内の温度を下降させる冷房運転の少なくとも１つを行う。
【００１５】
空気調和装置１０は、室内機１００Ａ，１００Ｂと室外機２００とを備えている。この空気調和装置１０は、室外機２００に対して複数台の室内機１００Ａ，１００Ｂが並列に接続されたマルチタイプの空気調和装置１０であり、例えば、多数の部屋を有するビルに適用される。図１に示す例では、１台の室外機２００に２台の室内機１００Ａ，１００Ｂが接続されている。ただし、室外機２００及び室内機１００の台数は限定されない。なお、以下では、室内機１００Ａ，１００Ｂをまとめて室内機１００とも称する。室内機１００Ａ，１００Ｂの構成要素についても同様に総称することがある。
【００１６】
空気調和装置１０は、冷媒回路３００を有している。冷媒回路３００は、室内機１００と室外機２００との間で冷媒を循環させる。冷媒回路３００は、圧縮機２３０、室外熱交換器（熱源熱交換器）２１０、室内熱交換器（利用熱交換器）１１０Ａ，１１０Ｂ、及びこれらを接続する冷媒配管３０１を備える。冷媒回路３００は、膨張弁、液閉鎖弁、ガス閉鎖弁、四路切換弁等の図示しない弁を備えるが、詳細は省略する。
【００１７】
室内機１００Ａ，１００Ｂのそれぞれは、別々の部屋に設置される。室内機１００Ａは、１つの部屋の空気を調和し、室内機１００Ｂは他の１つの部屋の空気を調和する。
【００１８】
室内機１００は、冷媒回路３００に含まれる室内熱交換器１１０を備える。室内熱交換器１１０は、クロスフィンチューブ式又はマイクロチャネル式の熱交換器とされ、室内の空気と熱交換するために用いられる。
【００１９】
室内機１００は、さらに室内ファン１２０を備える。室内ファン１２０は、室内の空気を室内機１００の内部に取り込み、取り込んだ空気と室内熱交換器１１０との間で熱交換を行わせた後、当該空気を室内に吹き出すように構成されている。室内ファン１２０は、インバータ制御によって運転回転数を調整可能なモータを備えている。
【００２０】
室内機１００は、さらに温度センサ１３０と、報知部１４０と、制御部１５０とを備える。温度センサ１３０は、室内温度を検出する。室内温度は、室内の負荷の一例である。
【００２１】
報知部１４０は、ユーザに換気が必要であることを報知することができる。報知部１４０は、ＬＥＤ１４１とブザー１４２とを含む。ＬＥＤ１４１は、発光することによってユーザに換気が必要であることを報知し、ブザー１４２は、音を発することによってユーザに換気が必要であることを報知する。
【００２２】
制御部１５０は、上記の室内機１００の構成部品を制御することができる。図２は、制御部の構成の一例を示すブロック図である。制御部１５０は、プロセッサ１５１と、不揮発性メモリ１５２と、揮発性メモリ１５３と、入出力インタフェース１５４とを備える。
【００２３】
揮発性メモリ１５３は、例えばＳＲＡＭ（Static Random Access Memory）、ＤＲＡＭ（Dynamic Random Access Memory）等である。不揮発性メモリ１５２は、例えばフラッシュメモリ、ハードディスク、ＲＯＭ（Read Only Memory）等である。不揮発性メモリ１５２には、コンピュータプログラムである制御プログラム１５５及び制御プログラム１５５の実行に使用されるデータが格納される。室内機１００の各機能は、制御プログラム１５５がプロセッサ１５１によって実行されることで発揮される。制御プログラム１５５は、フラッシュメモリ、ＲＯＭ、ＣＤ−ＲＯＭなどの記録媒体に記憶させることができる。
【００２４】
プロセッサ１５１は、例えばＣＰＵ（Central Processing Unit）である。ただし、プロセッサ１５１は、ＣＰＵに限られない。プロセッサ１５１は、ＧＰＵ（Graphics Processing Unit）であってもよい。プロセッサ１５１は、例えば、ＡＳＩＣ（Application Specific Integrated Circuit）であってもよいし、ゲートアレイ、ＦＰＧＡ（Field Programmable Gate Array）等のプログラマブルロジックデバイスであってもよい。この場合、ＡＳＩＣ又はプログラマブルロジックデバイスは、制御プログラム１５５と同様の処理を実行可能に構成される。
【００２５】
入出力インタフェース１５４は、制御部１５０と室内機１００の構成部品との間でのデータの入出力に用いられる。入出力インタフェース１５４は、温度センサ１３０、ＬＥＤ１４１、及びブザー１４２に接続される。さらに入出力インタフェース１５４は、図示しない通信部に接続されており、当該通信部を介してリモートコントローラ１６０に信号を送信し、リモートコントローラ１６０からの信号を受信することができる。
【００２６】
リモートコントローラ１６０は、表示部１６１と操作部１６２とを含む。表示部１６１
は、例えば液晶パネルを含み、設定されている運転モード（冷房モード、暖房モード等）、設定温度等の情報を表示する。操作部１６２は、例えば複数のボタンスイッチを含み、ユーザからの操作を受け付けることができる。ユーザは、操作部１６２を操作することによって、運転モード及び設定温度を指定することができる。リモートコントローラ１６０は、図示しない通信部を含み、ユーザから受け付けた運転モード及び設定温度の指令値を制御部１５０へ送信することができる。制御部１５０は、受信された運転モード及び設定温度の指令値に従って、室内機１００の構成部品の各部を制御する。
【００２７】
表示部１６１は、ユーザへの報知情報を表示することができる。制御部１５０は、ユーザへ情報を報知する必要があるイベントが発生した場合、リモートコントローラ１６０へ報知情報の表示指令を送信する。リモートコントローラ１６０は当該指令を受信すると、表示部１６１に報知情報を表示させる。
【００２８】
再び図１を参照する。
室外機２００は、冷媒回路３００に含まれる圧縮機２３０及び室外熱交換器２１０を備える。
【００２９】
圧縮機２３０は、低圧のガス冷媒を吸引し高圧のガス冷媒を吐出する。圧縮機２３０は、インバータ制御によって運転回転数を調整可能なモータを備え、当該モータによってガス冷媒を圧縮する。室外熱交換器２１０は、例えばクロスフィンチューブ式又はマイクロチャネル式の熱交換器であり、空気を熱源として冷媒と熱交換するために用いられる。
【００３０】
室外機２００は、さらに室外ファン２２０を備える。室外ファン２２０は、インバータ制御によって運転回転数を調整可能なモータを備えている。室外ファン２２０は、屋外の空気を室外機２００の内部に取り込み、取り込んだ空気と室外熱交換器２１０との間で熱交換を行わせた後、当該空気を室外機２００の外部に吹き出すように構成されている。
【００３１】
上記構成の空気調和装置１０が冷房運転又は暖房運転を行う場合、液状又はガス状の冷媒が冷媒配管３０１を循環し、室外熱交換器２１０によって冷媒と室外空気との間で熱交換が行われ、室内熱交換器１１０によって冷媒と室内空気との間で熱交換が行われる。室外熱交換器２１０によって加熱又は冷却された室外空気は、室外ファン２２０によって室外機２００の外部へ放出される。室内熱交換器１１０によって冷却又は加熱された室内空気は、室内ファン１２０によって室内機１００から室内に放出される。
【００３２】
［１−２．空気調和装置の動作］
厚生労働省は、COVID-19の感染拡大防止のため、１時間に２回以上の換気を提言している。本実施形態に係る空気調和装置１０は、一定期間中に十分な時間の換気が行われたか否かを判定し、十分な時間の換気が行われていないと判定された場合に、ユーザに換気が必要であることを報知する。一定期間中に十分な時間の換気が行われたか否かの判定には、負荷条件が用いられる。負荷条件は、第１時間において室内における負荷の変動が所定範囲内にあることを示す条件である。本実施形態に係る空気調和装置１０は、例えば、上述した厚生労働省の提言にしたがい、第１時間Ｐ１に１回以上、十分な時間（第２時間Ｐ２以上）の換気が行われたか否かを判定する。本実施形態では、負荷条件は、第１時間Ｐ１の全体において、温度センサ１３０によって検出された室内の温度が基準温度Ｔ０によって定まる規定範囲を外れる時間が、第１時間Ｐ１よりも短い第２時間Ｐ２以上継続しないことである。第１時間Ｐ１は例えば３０分であり、第２時間Ｐ２は例えば５分である。
【００３３】
図３は、本実施形態に係る空気調和装置１０の動作の手順の一例を示すフローチャートである。プロセッサ１５１が制御プログラム１５５を起動することにより、プロセッサ１５１は以下のような処理を実行する。
【００３４】
プロセッサ１５１は、第１タイマをセットし（ステップＳ１０１）、第２タイマをセットする（ステップＳ１０２）。第１タイマと第２タイマとは異なるタイマであり、互いに異なるタイミングで計時を開始することができる。
【００３５】
温度センサ１３０は、所定の周期で室内温度を検出し、検出室内温度を出力する。プロセッサ１５１は、温度センサ１３０から出力された検出室内温度を受信する（ステップＳ１０３）。
【００３６】
次にプロセッサ１５１は、検出室内温度が基準温度によって定まる規定範囲を外れるか否かを判定する（ステップＳ１０４）。暖房又は冷房によって室内温度は室外温度から乖離し、設定温度に近い温度となっている。例えば、換気装置が作動したり、ドア及び窓が開放されたりして部屋の換気が行われている場合、室内の負荷が変動する。負荷変動の具体的な一例として、室内温度が変化し、室外温度に近づく。したがって、検出室内温度は規定範囲から外れる。他方、換気が行われていない場合、室内温度は設定温度に近い値を維持する。したがって、検出室内温度は規定範囲内に収まる。このように、ステップＳ１０４では、負荷変動に基づいて換気が行われているか否かが判断される。
【００３７】
本実施形態では、基準温度はユーザにより指定された設定温度（冷房運転又は暖房運転のための設定温度）である。規定範囲は、予め設定された温度範囲である。例えば、規定範囲は、基準温度Ｔ０から設定値Ｓだけ高い温度Ｔ０＋Ｓを上限とし、基準温度Ｔ０から設定値Ｓだけ低い温度Ｔ０−Ｓを下限とする範囲である。設定値Ｓは、例えば室内に室内機１００を取り付ける際にサービスマンによって設定される。設定値Ｓは、空気調和装置１０の冷房及び暖房の能力、部屋の広さ等に応じて決定され得る。なお、規定範囲は基準温度を含む温度範囲であればよく、上記とは異なる範囲であってもよい。
【００３８】
検出室内温度が基準温度によって定まる規定範囲を外れていない場合（ステップＳ１０４においてＮＯ）、換気が行われていないと判断することができる。この場合、プロセッサ１５１は、第１タイマの値が第１時間Ｐ１を超えるか否かを判定する（ステップＳ１０５）。第１時間Ｐ１は、換気不足を判断するための時間であり、予め設定される。第１時間Ｐ１は、例えば空気調和装置１０の工場出荷時に設定される。
【００３９】
第１タイマの値が第１時間Ｐ１を超えていない場合（ステップＳ１０５においてＮＯ）、プロセッサ１５１はステップＳ１０２に戻る。これにより、第２タイマがリセットされる。
【００４０】
第１タイマの値が第１時間Ｐ１を超えている場合（ステップＳ１０５においてＹＥＳ）、プロセッサ１５１はステップＳ１０８に進む。ステップＳ１０８については後述する。
【００４１】
検出室内温度が基準温度によって定まる規定範囲を外れている場合（ステップＳ１０４においてＹＥＳ）、換気が行われていると判断することができる。この場合、プロセッサ１５１は、第２タイマの値が第２時間Ｐ２を超えるか否かを判定する（ステップＳ１０６）。第２時間Ｐ２は、十分な換気が行われているか否かを判断するための時間であり、予め設定される。第２時間Ｐ２は、第１時間Ｐ１より短い。第２時間Ｐ２は、例えば空気調和装置１０の工場出荷時に設定される。
【００４２】
第２タイマの値が第２時間Ｐ２を超えていない場合（ステップＳ１０６においてＮＯ）、プロセッサ１５１は、第１タイマの値が第１時間Ｐ１を超えるか否かを判定する（ステップＳ１０７）。第１タイマの値が第１時間Ｐ１を超えていない場合（ステップＳ１０７においてＮＯ）、プロセッサ１５１はステップＳ１０３に戻る。
【００４３】
図４Ａは、換気が十分に行われている場合の室内温度の時間変化の一例を示すグラフであり、図４Ｂは、換気が十分に行われていない場合の室内温度の時間変化の一例を示すグラフである。図４Ａ及び図４Ｂは、冷房が行われている部屋における室内温度の変化を示している。空気調和された室内温度Ｔは、設定温度である基準温度Ｔ０に近い値を取る。換気が行われていなければ、室内温度Ｔは基準温度Ｔ０付近の値を維持する。換気が行われると、室内温度Ｔが変化し、規定範囲の上限Ｔ０＋Ｓを超える。
【００４４】
本実施形態では、室内温度Ｔが規定範囲を外れる時間が、第２時間Ｐ２を超えていれば十分な換気が行われていると判断される。図４Ａの例では、室内温度Ｔが基準温度Ｔ０によって定まる規定範囲を外れる時間Ｐｅｘが、第２時間Ｐ２を超えている。したがって、図４Ａの例では、十分な換気が行われている。
【００４５】
本実施形態では、室内温度Ｔが規定範囲を外れている時間が、第２時間Ｐ２を超えていない場合は、十分な換気が行われていないと判断される。なお、室内温度Ｔが規定範囲内である場合も、十分な換気が行われていないと当然に判断される。図４Ｂの例では、室内温度Ｔが基準温度Ｔ０によって定まる規定範囲を外れる時間Ｐｅｘが、第２時間Ｐ２を超えていない。したがって、図４Ａの例では、十分な換気が行われていない。
【００４６】
再び図３を参照する。ステップＳ１０７においてＮＯであれば、第２タイマがリセットされることなくステップＳ１０３以降が実行され、第２タイマの値が加算される。したがって、室内温度Ｔが規定範囲を外れた状態が維持されれば、第２タイマの値が第２時間Ｐ２を超えない間、ステップＳ１０３，Ｓ１０４，Ｓ１０６，Ｓ１０７が繰り返される。
【００４７】
ステップＳ１０６において、第２タイマの値が第２時間Ｐ２を超える場合（ステップＳ１０６においてＹＥＳ）、十分な時間の換気が行われたと判断することができる。この場合、プロセッサ１５１は、処理を終了する。
【００４８】
ステップＳ１０７において、第１タイマの値が第１時間Ｐ１を超える場合（ステップＳ１０７においてＹＥＳ）、第２タイマの値が第２時間Ｐ２を超えないまま、第１タイマの値が第１時間Ｐ１を超えている。したがって、第１時間Ｐ１の全体において、十分な換気が行われていないと判断することができる。この場合、プロセッサ１５１は、換気が必要であること（換気不足）をユーザに報知する（ステップＳ１０８）。室内に換気機能が設けられていない場合、換気が必要であることを知ったユーザは、例えば、窓及びドアを解放することができる。室内に換気装置が設けられているが、換気装置が停止している場合、換気が必要であることを知ったユーザは、換気装置を動作させることができる。
【００４９】
ステップＳ１０５においてＹＥＳの場合、第２タイマの値が一度も第２時間Ｐ２を超えないまま、第１タイマの値が第１時間Ｐ１を超えている。この場合も、プロセッサ１５１はステップＳ１０８に進む。
【００５０】
ステップＳ１０８では、具体的には、プロセッサ１５１がＬＥＤ１４１を発光させるよう制御し、ブザー１４２を鳴動させるよう制御し、表示部１６１に報知情報を表示する指令を出力する。これにより、ＬＥＤ１４１の発光、ザー１４２の鳴動、及び表示部１６１による表示によって換気不足がユーザに報知される。表示部１６１において表示される報知情報は、例えば、「換気が不足しています。換気をしてください。」のような文字情報を含む。
【００５１】
上記のような換気不足の報知は、室内機１１０Ａ，１１０Ｂ毎に実行される。室内機１１０Ａが設置された部屋において換気不足が発生し、室内機１１０Ｂが設置された部屋においては換気不足が発生していない場合、室内機１１０Ａは換気不足を報知し、室内機１１０Ｂは換気不足を報知しない。室内機１１０Ａが設置された部屋において換気不足が発生せず、室内機１１０Ｂが設置された部屋において換気不足が発生している場合、室内機１１０Ａは換気不足を報知せず、室内機１１０Ｂは換気不足を報知する。室内機１１０Ａが設置された部屋において、ＬＥＤ１４１Ａ，ブザー１４２Ａ，及び表示部１６１Ａによって換気不足が報知された場合、当該部屋にいるユーザが、当該部屋において換気を実施する。室内機１１０Ｂが設置された部屋において、ＬＥＤ１４１Ｂ，ブザー１４２Ｂ，及び表示部１６１Ｂによって換気不足が報知された場合、当該部屋にいるユーザが、当該部屋において換気を実施する。
【００５２】
［２．第２実施形態］
本実施形態では、空気調和の結果、収束した室内温度に基準温度が設定される。図５は、本実施形態に係る空気調和装置１０の基準温度の設定の手順の一例を示すフローチャートである。
【００５３】
温度センサ１３０は、所定周期で繰り返し検出室内温度を出力する。プロセッサ１５１は、温度センサ１３０から検出室内温度を継続して受信する（ステップＳ２０１）。こうして、プロセッサ１５１は、一定期間の時系列の検出室内温度を取得する。次にプロセッサ１５１は、一定期間継続して検出室内温度が同一であったか否かを判定する（ステップＳ２０２）。なお、ステップＳ２０２において、検出室内温度が継続して一定の許容範囲内にあれば、検出室内温度が同一であると判定することができる。
【００５４】
一定期間継続して検出室内温度が同一でない場合（ステップＳ２０２においてＮＯ）、プロセッサ１５１はステップＳ２０１に戻る。
【００５５】
一定期間継続して検出室内温度が同一である場合（ステップＳ２０２においてＹＥＳ）、室内温度は一定値に収束したと判断することができる。この場合、プロセッサ１５１は、基準温度を検出室内温度に設定する（ステップＳ２０３）。以上で、基準温度の設定が終了する。
【００５６】
以上のようにして設定された基準温度は、第１実施形態において説明した換気が必要であるか否かの判定に使用される。
【００５７】
［３．第３実施形態］
本実施形態では、室内の負荷変動として、室内機１００における消費電力の変動を用いる。
【００５８】
図６は、本実施形態に係る空気調和装置の室内機の構成の一例を概略的に示す図である。本実施形態に係る室内機１００は、電流センサ３１０と、電圧センサ３２０とを備える。商用電源から室内機１００に供給される交流電力は、室内機１００に内蔵される図示しない電力変換器によって直流電力に変換される。直流電力は、室内ファン１２０、各種弁等の室内機１００の構成部品に供給される。電流センサ３１０は、直流電力変換器の出力電流を検出する。電圧センサ３２０は、直流電力変換器の出力電圧を検出する。
【００５９】
電流センサ３１０及び電圧センサ３２０のそれぞれは、制御部１５０の入出力インタフェース１５４（図２参照）に接続される。電流センサ３１０の検出電流値及び電圧センサ３２０の検出電圧値は、入出力インタフェース１５４を介してプロセッサ１５１に与えられる。プロセッサ１５１は、検出電流値及び検出電圧値を用いて、室内機１００の消費電力を算出することができる。
【００６０】
なお、本実施形態に係る室内機１００のその他の構成は、第１実施形態において説明した室内機１００と同様であるので、同一構成要素については同一符号を付し、その説明を省略する。
【００６１】
図７は、本実施形態に係る空気調和装置１０の動作の手順の一例を示すフローチャートである。プロセッサ１５１は、第１タイマをセットし（ステップＳ３０１）、第２タイマをセットする（ステップＳ３０２）。
【００６２】
電流センサ３１０及び電圧センサ３２０のそれぞれは、所定の周期で電流値及び電圧値を検出し、検出電流値及び検出電圧値を出力する。プロセッサ１５１は、電流センサ３１０及び電圧センサ３２０から出力された検出電流値及び検出電圧値を受信する（ステップＳ３０３）。
【００６３】
続いてプロセッサ１５１は、受信された検出電流値及び検出電圧値を用いて、消費電力を算出する（ステップＳ３０４）。プロセッサ１５１は、消費電力が基準電力によって定まる規定範囲を外れるか否かを判定する（ステップＳ３０５）。暖房又は冷房によって室内温度は室外温度から乖離し、設定温度に近い温度となっている。例えば、換気装置が作動したり、ドア及び窓が開放されたりして部屋の換気が行われている場合、室内温度が変化し、室外温度に近づく。室内温度が上昇し、設定温度から離れると、室内温度を設定温度に近づけるよう、室内ファン１２０及び冷媒回路３００が高い消費電力で動作する。したがって、室内機１００の消費電力が増大し、規定範囲から外れる。他方、換気が行われていない場合、室内温度は設定温度に近い値を維持する。したがって、室内ファン１２０及び冷媒回路３００は低い消費電力で動作し、室内機１００の消費電力は規定範囲内に収まる。このように、ステップＳ３０５では、負荷変動に基づいて換気が行われているか否かが判断される。
【００６４】
本実施形態では、基準電力は、設定温度付近で室内機１００が動作するときの消費電力である。規定範囲は、予め設定された電力範囲である。
【００６５】
消費電力が基準電力によって定まる規定範囲を外れていない場合（ステップＳ３０５においてＮＯ）、換気が行われていないと判断することができる。この場合、プロセッサ１５１は、第１タイマの値が第１時間Ｐ１を超えるか否かを判定する（ステップＳ３０６）。
【００６６】
第１タイマの値が第１時間Ｐ１を超えていない場合（ステップＳ３０６においてＮＯ）、プロセッサ１５１はステップＳ３０２に戻る。これにより、第２タイマがリセットされる。
【００６７】
第１タイマの値が第１時間Ｐ１を超えている場合（ステップＳ３０６においてＹＥＳ）、プロセッサ１５１はステップＳ３０９に進む。
【００６８】
消費電力が基準電力によって定まる規定範囲を外れている場合（ステップＳ３０５においてＹＥＳ）、換気が行われていると判断することができる。この場合、プロセッサ１５１は、第２タイマの値が第２時間Ｐ２を超えるか否かを判定する（ステップＳ３０７）。
【００６９】
第２タイマの値が第２時間Ｐ２を超えていない場合（ステップＳ３０７においてＮＯ）、プロセッサ１５１は、第１タイマの値が第１時間Ｐ１を超えるか否かを判定する（ステップＳ３０８）。第１タイマの値が第１時間Ｐ１を超えていない場合（ステップＳ３０８においてＮＯ）、プロセッサ１５１はステップＳ３０３に戻る。
【００７０】
ステップＳ３０８においてＮＯであれば、第２タイマがリセットされることなくステップＳ３０３以降が実行され、第２タイマの値が加算される。したがって、消費電力が規定範囲を外れた状態が維持されれば、第２タイマの値が第２時間Ｐ２を超えない間、ステップＳ３０３，Ｓ３０４，Ｓ３０５，Ｓ３０７，Ｓ３０８が繰り返される。
【００７１】
ステップＳ３０７において、第２タイマの値が第２時間Ｐ２を超える場合（ステップＳ３０７においてＹＥＳ）、十分な時間の換気が行われたと判断することができる。この場合、プロセッサ１５１は、処理を終了する。
【００７２】
ステップＳ３０８において、第１タイマの値が第１時間Ｐ１を超える場合（ステップＳ３０８においてＹＥＳ）、第２タイマの値が第２時間Ｐ２を超えないまま、第１タイマの値が第１時間Ｐ１を超えている。したがって、第１時間Ｐ１の全体において、十分な換気が行われていないと判断することができる。この場合、プロセッサ１５１は、換気が必要であること（換気不足）をユーザに報知する（ステップＳ３０９）。
【００７３】
ステップＳ３０６においてＹＥＳの場合、第２タイマの値が一度も第２時間Ｐ２を超えないまま、第１タイマの値が第１時間Ｐ１を超えている。この場合も、プロセッサ１５１はステップＳ３０９に進む。
【００７４】
［４．実施形態の作効果］
（１）空気調和装置１０は、検出部（温度センサ１３０、電流センサ３１０及び電圧センサ３２０）と、報知部１４０と、制御部１５０とを備える。検出部は、室内の負荷を検出する。報知部１４０は、ユーザに情報を報知する。制御部１５０は、検出部によって検出された負荷の変動が、第１時間Ｐ１において所定範囲内にあることを示す負荷条件を満たす場合、報知部１４０に、ユーザに換気が必要であることを報知させる。
【００７５】
第１時間Ｐ１内に室内の負荷変動が所定範囲内である場合、室内の換気量が不足している可能性がある。負荷条件を満たした場合にユーザに換気が必要であることを報知することにより、ユーザに換気を促すことができる。
【００７６】
（２）検出部は、室内の温度を検出する温度センサ１３０を含んでもよい。負荷条件は、第１時間Ｐ１の全体において、温度センサ１３０によって検出された室内の温度が基準温度Ｔ０によって定まる規定範囲を外れる時間が、第１時間Ｐ１よりも短い第２時間Ｐ２以上継続しないこととすることができる。
このような構成によって、室内の負荷を室温として検出することができる。換気が行われれば空気調和された室温が変化するため、室温の変動によって換気量が十分か否かを判断することができる。第１時間Ｐ１の全体において、室温が基準温度Ｔ０から規定範囲を外れる時間が第２時間Ｐ２以上継続しない場合、室内の換気量が不足している可能性があるため、ユーザに換気が必要であることを報知することで換気量不足を解消することができる。
【００７７】
（３）空気調和装置１０は、情報を表示する表示部１６１を含む。制御部１５０は、負荷条件を満たす場合、換気が必要であることを表示部１６１に表示させる。
このような構成によって、ユーザは表示部１６１の表示を確認することで、換気が必要であることを把握することができる。
【００７８】
（４）空気調和装置１０が設置される室内には、換気機能が設けられていなくてもよい。
換気機能が設けられていない室内において、窓又はドアを開けることによる換気をユーザに促すことができる。
【００７９】
［５．補記］
なお、本開示は、以上の例示に限定されるものではなく、特許請求の範囲によって示され、特許請求の範囲と均等の意味及び範囲内でのすべての変更が含まれることが意図される。
【符号の説明】
【００８０】
１０：空気調和装置、１００，１００Ａ，１００Ｂ：室内機、１１０，１１０Ａ，１１０Ｂ：室内熱交換器、１２０，１２０Ａ，１２０Ｂ：室内ファン、１３０，１３０Ａ，１３０Ｂ：温度センサ、１４０，１４０Ａ，１４０Ｂ：報知部、１４１，１４１Ａ，１４１Ｂ：ＬＥＤ、１４２，１４２Ａ，１４２Ｂ：ブザー、１５０，１５０Ａ，１５０Ｂ：制御部、１５１：プロセッサ、１５２：不揮発性メモリ、１５３：揮発性メモリ、１５４：入出力インタフェース、１５５：制御プログラム、１６０，１６０Ａ，１６０Ｂ：リモートコントローラ、１６１，１６１Ａ，１６１Ｂ：表示部、１６２，１６２Ａ，１６２Ｂ：操作部、２００：室外機、２１０：室外熱交換器、２２０：室外ファン、２３０：圧縮機、３００：冷媒回路、３０１：冷媒配管、３１０：電流センサ、３２０：電圧センサ、Ｐ１：第１時間、Ｐ２：第２時間、Ｔ：温度、Ｔ０：基準温度
【要約】
【課題】人が室内にいるときに十分な換気を促す。
【解決手段】空気調和装置１０は、室内の負荷を検出する検出部１３０と、ユーザに情報を報知する報知部１４０と、制御部１５０と、を備え、制御部１５０は、検出部１３０によって検出された負荷の変動が、第１時間Ｐ１において所定範囲内にあることを示す負荷条件を満たす場合、報知部１４０に、ユーザに換気が必要であることを報知させる。
【選択図】図１【図１】
0006974779.tif 000002
【図２】
0006974779.tif 000003
【図３】
0006974779.tif 000004
【図４Ａ】
0006974779.tif 000005
【図４Ｂ】
0006974779.tif 000006
【図５】
0006974779.tif 000007
【図６】
0006974779.tif 000008
【図７】
0006974779.tif 000009